(57)【要約】【課題】キャビン内の換気を可能にしたコンバインのキャビンを提供する。【解決手段】穀稈の刈取りや脱穀を行うコンバインのキャビンで、該キャビンの塵埃の発生箇所となる前処理部や脱穀機から最も遠い位置となる右側面後方の上部、即ち、浮遊する塵埃の極力少ない位置に外気の吸入口３２を配置する。外気を吸入することにより、キャビン内を陽圧に維持してウェザーストリップや細かい隙間からの塵埃の侵入をなくし、キャビン内の環境を向上させる。【選択図】      図７
2004217098.tif 000002
【特許請求の範囲】
【請求項１】
一対のクローラ走行装置によって支持された機体と、該機体の前部に配置され、穀稈の刈取りを行う前処理部と、前記機体の左側に配置され、刈取られた穀稈の脱穀を行う脱穀部と、前記機体の右側に配置され、脱穀された穀粒を一時貯蔵する貯蔵手段と、前記前処理部と貯蔵手段の間に配置された運転席とを備えたコンバインに、前記運転席を覆うように配置されたコンバインのキャビンであって、
前記キャビンの右側面後方の上方に、前記キャビンに配置された空気調和装置の室内機の吸込み口に連通し、外気を吸入する外気吸入口を設けたことを特徴とするコンバインのキャビン。
【請求項２】
一対のクローラ走行装置によって支持された機体と、該機体の前部に配置され、穀稈の刈取りを行う前処理部と、前記機体の左側に配置され、刈取られた穀稈の脱穀を行う脱穀部と、前記機体の右側に配置され、脱穀された穀粒を一時貯蔵する貯蔵手段と、前記前処理部と貯蔵手段の間に配置された運転席とを備えたコンバインに、前記運転席を覆うように配置されたコンバインのキャビンであって、
前記キャビンに配置された空気調和装置の室内機の吸込み口に連通し、前記キャビンの外側面に形成された外気吸入口と、
前記キャビンに配置された空気調和装置の室内機の吸込み口に連通し、前記外気吸入口と所定の間隔で相対向するように形成された内気吸入口と、
前記外気吸入口と内気吸入口との間に移動可能に配置され、何れか一方の前記吸入口を覆い、外気と内気の吸入を切換る切換手段と、を設けたことを特徴とするコンバインのキャビン。
【発明の詳細な説明】
【０００１】
【発明の属する技術分野】
本発明は、空気調和装置を備えたコンバインのキャビンに関する。
【０００２】
【従来の技術】
農作業車で運転者の快適性を向上させるものとして、運転席を覆うキャビンを設け、該キャビン内の空気調和を行うようにした農作業車が有る（例えば、特許文献１参照）。
【０００３】
前記農作業車では、キャビンルーフの外側ルーフと内側ルーフの間に冷却ダクト、加熱ダクト、前部ダクト、サイドダクト等が配置されると共に、キャビンルーフの後方側面に形成された外気吸入口から吸入された外気と、前記内側ルーフに形成された内気（キャビン内の空気）吸入口から吸入された内気とを切換る内外気切換ダクトを備えている。そして、前記内外気切換ダクトには、前記内気吸入口と対向する外気吸入口が形成され、内気吸入口と外気吸入口の間に配置された切換板により何れか一方の吸入口を覆うことにより、空気調和装置に送る空気の内気と外気を切換るように構成されている。
【０００４】
【特許文献１】
特開平１１−２５４９４０号公報（第２−３頁  図２、図３）
【０００５】
【発明が解決しようとする課題】
このような農作業車のキャビンでは、ブロー成型等により成形された内外気切換ダクトを配置しているため、コスト高になるだけでなく、設計変更が難しくなる。また、キャビンのルーフを構成する外側ルーフと内側ルーフの間隔（ルーフ高さ）が大きくなり、キャビンの天井が低くなるため、キャビン内の居住性が低下する。
【０００６】
また、前記農作業車がコンバインである場合には、刈取り、脱穀等の作業により、穀稈に付着していた塵埃や引き千切られた小さな稈くずが飛散する環境の中で使用されるため、キャビンには、内気循環式の空気調和装置が配置され、内気の循環のみによってキャビン内の空気調和が行われていた。このため、コンバインでは、キャビンのドアや窓のウェザーストリップや細かい隙間からの塵埃の侵入が発生し、キャビン内の環境を低下させている。
【０００７】
前記の事情に鑑み、本発明は、浮遊する塵埃の極力少ない位置に外気吸入口を配置し、キャビン内の換気を可能としてキャビン内への塵埃の侵入を防止して、キャビン内の環境を向上させることができるコンバインのキャビンを提供することを目的とする。
【０００８】
また、内外気切換用ダクト等の特別のダクトを用いることなくキャビン内の換気を可能にし、ルーフ高さを抑えキャビンの居住性を向上させると共に、コストを抑え、しかも設計変更やメンテナンスが容易なコンバインのキャビンを提供することを目的とする。
【０００９】
【課題を解決するための手段】
請求項１に係る発明は、一対のクローラ走行装置（２、２）によって支持された機体（３）と、該機体（３）の前部に配置され、穀稈の刈取りを行う前処理部（５）と、前記機体（３）の左側に配置され、刈取られた穀稈の脱穀を行う脱穀部（７）と、前記機体（３）の右側に配置され、脱穀された穀粒を一時貯蔵する貯蔵手段（９）と、前記前処理部（５）と貯蔵手段（９）の間に配置された運転席（１２）とを備えたコンバイン（１）に、前記運転席（１２）を覆うように設置されたコンバイン（１）のキャビン（２１）であって、
前記キャビン（２１）の右側面後方の上部に、前記キャビン（２１）に配置された空気調和装置の室内機（２６）の吸込み口に連通し、外気を吸入する外気吸入口（３７）を設けたことを特徴とするコンバイン（１）のキャビン（２１）にある。
【００１０】
請求項２に係る発明は、一対のクローラ走行装置（２、２）によって支持された機体（３）と、該機体（３）の前部に配置され、穀稈の刈取りを行う前処理部（５）と、前記機体（３）の左側に配置され、刈取られた穀稈の脱穀を行う脱穀部（７）と、前記機体の右側に配置され、脱穀された穀粒を一時貯蔵する貯蔵手段（９）と、前記前処理部（５）と貯蔵手段（９）の間に配置された運転席（１２）とを備えたコンバイン（１）に、前記運転席（１２）を覆うように設置されたコンバイン（１）のキャビン（２１）であって、
前記キャビン（２１）に配置された空気調和装置の室内機（２６）の吸込み口に連通し、前記キャビン（２１）の外側面に形成された外気吸入口（３７）と、
前記キャビン（２１）に配置された空気調和装置の室内機（２６）の吸込み口に連通し、前記外気吸入口（３７）と所定の間隔で相対向するように形成された内気吸入口（４２）と、
前記外気吸入口（３７）と内気吸入口（４２）との間に移動可能に配置され、何れか一方の前記吸入口（３７、４２）を覆い、外気と内気の吸入を切換る切換手段（５０）と、を設けたことを特徴とするコンバインのキャビンにある。
【００１１】
なお、括弧内の符号等は、図面と対照するためのものであり、これは、発明の理解を容易にするための便宜的なものであって、特許請求の範囲に何等影響を及ぼすものではない。
【００１２】
【発明の実施の形態】
以下、本発明の実施の形態を図面に基づいて説明する。
【００１３】
図１ないし図７は、本発明の実施の形態を示すもので、図１は、本発明を適用するコンバインの一例を示す斜視図、図２は、本発明を適用したコンバインのキャビンの一例を示す斜視図、図３は、図２に示すキャビンの内部を示す斜視図、図４は、図２における内気と外気の吸気部を示す斜視図、図５は、図４に示す吸気部の分解斜視図、図６は、内気の吸気状態を示す正面断面図、図７は、外気の吸気状態を示す正面断面図である。
【００１４】
図１に示すように、コンバイン１は、左右一対のクローラ走行装置２（図１では右側のみ示してある）上に支持された機体３の前方に穀稈の刈取りと搬送を行う前処理部５を備えている。また、前記機体３の左側には、前処理部５で刈取った穀稈を搬送するフィードチェーン６と、該フィードチェーン６で搬送される穀稈の脱穀を行う脱穀部７が配置されている。また、機体３の右側後方には、脱穀部７で脱穀された穀粒を一時貯蔵するグレンタンク９が設置され、その後方にグレンタンク９内の穀粒を排出するためのオーガ１０が設置されている。前記機体３の右側前方には、前記前処理部５とグレンタンク９の間に位置するようにエンジンルーム１１が形成され、該エンジンルーム１１の上に位置するように運転席１２が設置されている。
【００１５】
図２に示すように、前記運転席１２には、運転者が座るシート１３の周囲に位置するように、主変速レバー１５、副変速レバー１６、作業機クラッチレバー１７、操向レバー１９等のレバー類と、各種スイッチ類が配置された操作パネル２０が配置されている。
【００１６】
前記運転席１２を覆うようにキャビン２１が設置され、該キャビン２１のルーフ２２には、図２及び図３に示すように、外側ルーフ２３と内側ルーフ２４の間に位置するように、キャビン２１内の空気調和を行うための空気調和装置の室内機２６が設置されている。そして、前記外側ルーフ２３と内側ルーフ２４の間の間隙が、前記室内機２６の吸込みダクトを構成している。また、キャビン２１の右側面後方の上部には、外気の吸入口３７（図５参照）が形成され、カバー４０で覆われている。
【００１７】
図４乃至図７に示すように、前記キャビン２１の筐体２７（図６、図７参照）の右側面後部の上方には、開口部２９（図６、図７参照）が形成されている。前記開口部２９には、外気用フィルタ３０をその吸入口３１が外側に位置し吹出し口３２が内側に向けて突出するように着脱自在に装着する穴３３（図５参照）が形成されたフィルタ取付板３５と、該フィルタ取付板３５の外側に配置され、中央部に形成された複数の長穴３６（図５参照）が前記外気用フィルタ３０の吸入口３１に接触して外気用フィルタ３０を保持すると共に、前記開口部２９を覆い前記長穴３６が外気の吸入口３７（図５参照）を構成する多孔板３９及び、該多孔板３９との間に所定の隙間を形成するように多孔板３９の外側に配置されたカバー４０が配置されている。なお、前記多孔板３９は、ノブ３８により前記フィルタ取付板３５に着脱自在に固定されており、該ノブ３８を回すことにより容易に着脱することができる。
【００１８】
図３に示すように、キャビン２１の内側右側面後部の上方のパネル４１には、前記外気の吸入口３７と対向するように内気の吸入口４２が形成されている。前記パネル４１の外側（前記筐体２７側）に前記吸入口４２を覆うように内気用フィルタ４３が着脱自在に配置されている。前記内気用フィルタ４３は、その吸入口４５が前記キャビン２１の室内に向き、吹出し口４６（図４参照）が前記外気用フィルタ３０の吹出し口３２と対向するように配置されている。
【００１９】
図４乃至図７に示すように、前記外気用フィルタ３０の吹出し口３２と内気用フィルタ４３の吹出し口４６が対向する間隙には、切換手段５０が配置されている。前記切換手段５０は、前記外気用フィルタ３０を支持するフィルタ取付板３５の下端に固定されたＵ字状の軸受５１と、該軸受５１に回転可能に支持された軸５２と、該軸５２に固定された逆Ｕ字状の回転台５３と、該回転台５３に前記外気用フィルタ３０と内気用フィルタ４３の対向する間隙に位置するように支持された断面がＬ字状の切換板５５を備えている。
【００２０】
そして、前記切換板５５の前記外気用フィルタ３０の吹出し口３２と内気用フィルタ４３の吹出し口４６と対向する各面には、それぞれ例えばスポンジ等の軟質弾性体で形成されたシート５６が固定され、一方のシート５６が外気用フィルタ３０の吹出し口３２を覆ったとき、外気の吸入を遮断し、他方のシート５６が内気用フィルタ４３の吹出し口４６を覆ったとき、内気の吸入を遮断するようになっている。
【００２１】
前記軸５２の一端には、ハンドル５７が固定され、該ハンドル５７の操作によって前記切換手段５０の位置を切換て、前記シート５６で前記外気用フィルタ３０の吹出し口３２もしくは内気用フィルタ４３の吹出し口４６の何れか一方を覆うように構成されている。
【００２２】
図３に示すように、前記キャビン２１の内側右側面上方には、調和空気の吹出し口５９が形成されている。なお、この調和空気の吹出し口５９は、適宜箇所に配置することができる。
【００２３】
このような構成で、空気調和装置の室内機２６のファン（図示せず）が作動すると、外側ルーフ２３と内側ルーフ２４の間隙を通して空気が吸引される。このとき、切換手段５０の切換板５５が外気用フィルタ３０の吹出し口３２側に操作され、一方のシート５６で外気用フィルタ３０の吹出し口３２を覆っていると、室内側のパネル４１に形成された吸入口４２から内気用フィルタ４３を通して内気が吸入される。
【００２４】
即ち、内気（キャビン２１の内の空気）は、図６に矢印Ａで示すように、パネル４１の吸入口４２、内気用フィルと４３を通ってキャビン２１の外側ルーフ２３と内側ルーフ２４の間隙を経由して、室内機２６に吸入される。そして、室内機２６により調和された空気は、吹出し口５９を通ってキャビン２１へ吹出される経路で循環する。
【００２５】
一方、切換板５５が内気用フィルタ４３の吹出し口４６側に操作され、シート５６が内気用フィルタ４３の吹出し口４６を覆っていると、室外側に形成された吸入口３７から外気用フィルタ３０を通って吸入される。
【００２６】
即ち、外気（キャビン２１の外の空気）は、図７に矢印Ｂで示すように、多孔板３９とカバー４０の間隙から、多孔板３９に形成された吸入口３７（長穴３６）、外気用フィルタ３０を通り、外気中に含まれる塵埃が除去された状態で吸入され、キャビン２１の外側ルーフ２３と内側ルーフ２４の間隙を経由して、室内機２６に吸入される。そして、室内機２６により調和された空気は、吹出し口５９を通ってキャビン２１内へ吹出される。
【００２７】
前記のように、空気調和装置の室内機２６が吸入する空気を、外気と内気に切換ることにより、例えば、刈取作業や脱穀作業を開始する前に、空気調和装置の運転を開始し、外気を遮断してキャビン２１内の内気を循環させることにより、キャビン２１内を短時間で効率よく空気調和することができる。また、刈取作業や脱穀作業を開始する際に切換手段５０を切換て、内気を遮断し外気を吸入させることにより、キャビン２１の内部を陽圧にしてキャビン２１のドアや窓のウェザーストリップや細かい隙間からの塵埃の侵入を防止し、キャビン２１内を清潔な環境に維持することができる。
【００２８】
また、内外気切換ダクトのような特別なダクトを用いることなく、内外気の切換を行うことができるので、キャビン２１のルーフ高さを小さくすることができ、キャビン２１の居住性を向上させることができると共に、コストを低減させることができる。
【００２９】
また、前述のように、外気の吸入口をキャビン２１の右側後方の上部に形成することにより、コンバイン１の前処理部５や脱穀部７等の塵埃を発生させる作業部位から最も遠い位置、即ち、塵埃の極力少ない位置に外気の吸入口を配置することになり、外気用フィルタ３０の目詰まり等を気にすることなく内気、外気の切換を行うことができる。
【００３０】
また、前述のように、多孔板３９をノブ３８で着脱するように構成することによって、外気用フィルタ３０の清掃、交換等のメンテナンス作業を容易に行うことができる。
【００３１】
【発明の効果】
請求項１に係る発明によれば、外気を吸入する外気吸入口を塵埃が極力少ないキャビンの右側面後方の上部に、前記キャビンに配置された空気調和装置の室内機の吸込み口に連通し、外気を吸入する外気吸入口を設けたので、外気を吸入して調和空気としてキャビン内に吹出させることができ、キャビンのウェザーストリップや細かい隙間からの塵埃の侵入を防止してキャビン内の環境を向上させることができる。
【００３２】
請求項２に係る発明によれば、それぞれ前記キャビンに配置された空気調和装置の室内機の吸込み口に連通し、所定の間隔で相対向するように形成された外気吸入口及び内気吸入口との間に、外気と内気の吸入を切換る切換手段を設けたので、内外気切換ダクト等の特別なダクトを用いることなく、内外気の切換を行うことができ、コストを抑え、しかも設計変更やメンテナンスを容易にすることができる。また、キャビンのルーフ高さを抑え、キャビンの居住性を向上させることができる。
【図面の簡単な説明】
【図１】本発明を適用するコンバインの一例を示す斜視図。
【図２】本発明を適用したコンバインのキャビンの一例を示す斜視図。
【図３】図２に示すキャビンの内部を示す斜視図。
【図４】図２における内気と外気の吸気部を示す斜視図。
【図５】図４に示す吸気部の分解斜視図。
【図６】内気の吸気状態を示す正面断面図。
【図７】外気の吸気状態を示す正面断面図。
【符号の説明】
１…コンバイン
１２…運転席
２１…キャビン
３７…外気吸入口
４２…内気吸入口
５０…切換手段
【図１】
2004217098.tif 000003
【図２】
2004217098.tif 000004
【図３】
2004217098.tif 000005
【図４】
2004217098.tif 000006
【図５】
2004217098.tif 000007
【図６】
2004217098.tif 000008
【図７】
2004217098.tif 000009